(57)【要約】【課題】鏡筒外周面部での複数のフレキシブルプリント基板の位置決めを容易、且つ正確にし、作業性を向上すると共にそれぞれの接続信頼性を向上したカメラモジュールを提供する。【解決手段】少なくとも、光学部材と、前記光学部材を通して結像する光学像を電気信号に変換して画像信号を出力する光電変換素子と、当該光電変換素子が搭載された第一のフレキシブルプリント基板と、前記第一のフレキシブルプリント基板と接続される、他部品から導出された第二のフレキシブルプリント基板と、前記光学部材を支持する光学部材支持部と、前記第一のフレキシブルプリント基板上に前記光電変換素子を覆うように接着固定される脚部を有する鏡筒と、を備えるカメラモジュールであって、前記第一と第二のフレキシブルプリント基板の接続部が前記鏡筒の外周位置に面しており、少なくとも前記鏡筒の前記接続部との対向面に平面部を形成したカメラモジュールとする。【選択図】図１
2008089937.tif 000002
【特許請求の範囲】
【請求項１】
少なくとも、
光学部材と、前記光学部材を通して結像する光学像を電気信号に変換して画像信号を出力する光電変換素子と、当該光電変換素子が搭載された第一のフレキシブルプリント基板と、前記第一のフレキシブルプリント基板と接続される、他部品から導出された第二のフレキシブルプリント基板と、
前記光学部材を支持する光学部材支持部と、
前記第一のフレキシブルプリント基板上に前記光電変換素子を覆うように接着固定される脚部を有する鏡筒と、を備えるカメラモジュールであって、
前記第一と第二のフレキシブルプリント基板の接続部が前記鏡筒の外周位置に面しており、少なくとも前記鏡筒の前記接続部との対向面に平面部を形成したことを特徴とするカメラモジュール。
【請求項２】
前記第一と第二のフレキシブルプリント基板の接続部が、対向する前記平面部に固定されていることを特徴とする請求項１に記載のカメラモジュール。
【請求項３】
前記第一のフレキシブルプリント基板は、前記鏡筒の最下部に配置された構成で、前記第一のフレキシブルプリント基板の折り曲げ部から先端を前記鏡筒の外側で、前記脚部下面側から前記光学部材支持部側へ向け折り曲げられた立上面を有しており、前記鏡筒に形成された平面部は、前記第一のフレキシブルプリント基板の前記立上面と平行になるよう前記第一のフレキシブルプリント基板の折り曲げ位置から連続して形成された平面部であることを特徴とする請求項１又２に記載のカメラモジュール。
【発明の詳細な説明】
【技術分野】
【０００１】
本発明は、カメラモジュールに関するものである。
【背景技術】
【０００２】
近年、携帯電話機やＰＤＡ（Ｐｅｒｓｏｎａｌ  Ｄｉｇｉｔａｌ  Ａｓｓｉｓｔａｎｔｓ）等の携帯情報端末に組込まれるカメラモジュールがある。このようなカメラモジュールは小型、軽量であることが望まれている。
【０００３】
また、前記カメラモジュールは高機能化が進み、光電変換素子以外の部品を搭載するようになってきており、前記光電変換素子と前記部品の配線基板は複雑化している。前記部品の代表的なものとしては、メカシャッター、オートフォーカス用アクチュエーター、液晶レンズ等が挙げられる。
【０００４】
図３は従来のカメラモジュールの斜視図であり、図４は従来のカメラモジュールの分解斜視図である。図３及び図４のカメラモジュールは、光学レンズ（不図示）と、当該光学レンズを内装保持するレンズ枠６ｂと、液晶レンズ５を搭載保持する液晶レンズ搭載ベース６ａからなる光学部材６を有している。１は光電変換素子で、前記光学部材６を通して結像する光学像を電気信号に変換して画像信号を出力するもので、第一のフレキシブルプリント基板２上に実装されている。３は鏡筒で、前記光学部材６を支持する光学部材支持部３ｂと前記第一のフレキシブルプリント基板２上に前記光電変換素子１を覆うように接着固定される脚部３ａから成るものである。
【０００５】
前記液晶レンズ５からは、第二のフレキシブルプリント基板４が導出されており、前記鏡筒３の外周を取り囲むようにして配置されている。また、前記第二のフレキシブルプリント基板４は、前記第一のフレキシブルプリント基板２と電気的に接続される構成で、前記第一及び第二のフレキシブルプリント基板の接続部は、鏡筒３の外周面に位置するものである。
【０００６】
前記第一のフレキシブルプリント基板２と前記第二のフレキシブルプリント基板４の接続は、半田接合によるものである。
【０００７】
前記した従来のカメラモジュールは、光学部材の一部品としてプラスチック等から成るレンズ（不図示）の他に、液晶レンズ５を採用しているため、前記液晶レンズ５を構成する液晶を駆動させるための信号ラインとなる第二のフレキシブルプリント基板４が必要となり、外部との接続を前記光電変換素子１が搭載された第一のフレキシブルプリント基板２を介して行おうとしたものである。このようなカメラモジュールの構成に関係するものとしては、本出願人が特願２００６−１００８５２号において示している。
【発明の開示】
【発明が解決しようとする課題】
【０００８】
前記したカメラモジュールのように、複数のフレキシブルプリント基板を有する構成の場合、各フレキシブルプリント基板の接続は、光学部材６と鏡筒３の組み立て後に行う必要がある。前記第一のフレキシブルプリント基板２と前記第二のフレキシブルプリント基板４の接続部は、前記鏡筒３の外周の曲面部に位置するため、前記第一及び第二のフレキシブルプリント基板同士の位置決めの作業が困難となる。
【０００９】
また、各フレキシブルプリント基板の位置決め後に、その接続パターン同士を半田等を用いて密着固定させる必要があるが、その作業性が悪く、密着精度を悪くしてしまう。
【００１０】
また、各フレキシブルプリント基板の接続部は、鏡筒３の外周面に沿う形になるため、それに伴い湾曲状態となる。接続部がこのような状態に維持されると、この部分に加わる応力によって、半田等によって接続された接続部の剥がれ等の問題も危惧される。
【００１１】
本発明は、前記問題点に鑑み、鏡筒外周面部での複数のフレキシブルプリント基板の位置決めを容易、且つ正確にし、作業性を向上すると共にそれぞれの接続信頼性を向上したカメラモジュールを提供しようとするものである。
【課題を解決するための手段】
【００１２】
少なくとも、
光学部材と、前記光学部材を通して結像する光学像を電気信号に変換して画像信号を出力する光電変換素子と、当該光電変換素子が搭載された第一のフレキシブルプリント基板と、前記第一のフレキシブルプリント基板と接続される、他部品から導出された第二のフレキシブルプリント基板と、
前記光学部材を支持する光学部材支持部と、
前記第一のフレキシブルプリント基板上に前記光電変換素子を覆うように接着固定される脚部を有する鏡筒と、を備えるカメラモジュールであって、
前記第一と第二のフレキシブルプリント基板の接続部が前記鏡筒の外周位置に面しており、少なくとも前記鏡筒の前記接続部との対向面に平面部を形成したカメラモジュールとする。
【００１３】
前記第一と第二のフレキシブルプリント基板の接続部が、対向する前記平面部に固定されているカメラモジュールとする。
【００１４】
前記第一のフレキシブルプリント基板は、前記鏡筒の最下部に配置された構成で、前記第一のフレキシブルプリント基板の折り曲げ部から先端を前記鏡筒の外側で、前記脚部下面側から前記光学部材支持部側へ向け折り曲げられた立上面を有しており、前記鏡筒に形成された平面部は、前記第一のフレキシブルプリント基板の前記立上面と平行になるよう前記第一のフレキシブルプリント基板の折り曲げ位置から連続して形成された平面部であるカメラモジュールとする。
【発明の効果】
【００１５】
前記鏡筒外周の前記接続部との対向面を平面部に形成したので、フレキシブルプリント基板同士の位置決めが容易になる。また、前記平面部とフレキシブルプリント基板の接続部を接着固定したことにより、フレキシブルプリント基板同士の位置決め作業性が向上し、接続信頼性を向上できる。
【００１６】
また、前記平面部に各フレキシブルプリント基板の接続部を配置しているので、各フレキシブルプリント基板同士の接続部の密着が確実となる。
【発明を実施するための最良の形態】
【００１７】
以下本発明の実施形態を図面に基づいて説明する。
図１は本発明のカメラモジュールの斜視図である。図２は、本発明のカメラモジュールの分解斜視図である。尚、図中の符号は、一部の相違点を除き、従来技術で用いた符号を用いることとする。
【００１８】
１は光電変換素子で、第一のフレキシブルプリント基板２に搭載配置されている。当該光電変換素子１は、第一のフレキシブルプリント基板２に図示しない金属ワイヤーやバンプ金属等を介して電気的に接続さている。
【００１９】
前記第一のフレキシブルプリント基板２には折り曲げ部２ａから先端を鏡筒３の外側で、脚部３ａ下面側から光学部材支持部３ｂ側へ向け折り曲げられた立上面２ｂを有する構造となっている。また、鏡筒３には前記立上面２ｂとの対向面に平面部３ｃが形成されている。
【００２０】
６は光学部材で、光学レンズ（不図示）と、当該光学レンズを内装保持するレンズ枠６ｂと、液晶レンズ５を搭載保持する液晶レンズ搭載ベース６ａで構成されている。
【００２１】
前記液晶レンズ５は、少なくとも２枚の透明基板間に液晶を狭持して構成されたものである。当該液晶レンズ５には第二のフレキシブルプリント基板４が接続されている。前記第二のフレキシブルプリント基板４は鏡筒３の光学部材支持部３ｂの外周面に沿うよう折り曲げて配置されている。前記液晶レンズ５は液晶レンズ搭載ベース６ａに搭載され、本カメラモジュールの最上方に配置される構成である。
【００２２】
前記第二のフレキシブルプリント基板４には接続パターン４ａが設けられている。前記第一のフレキシブルプリント基板２には、前記接続パターン４ａの各々に対応する貫通孔で構成された接続パターン２ｃが設けられており、前記接続パターン４ａと前記接続パターン２ｃを対応配置して各々を半田接合する構成である。
【００２３】
前記第一のフレキシブルプリント基板２と前記第二のフレキシブルプリント基板４の接続工程においては、前記鏡筒３の平面部３ｃに、当該平面部３ｃと対向した第二のフレキシブルプリント基板４側の接続部を接着部材により固定し、安定配置した上で、第一のフレキシブルプリント基板２を接続するようにすれば、各フレキシブルプリント基板の接続作業性が向上し、接続の信頼性も向上させることが可能である。尚、前記第一のフレキシブルプリント基板２と第二のフレキシブルプリント基板４の位置関係が入れ替わったとしても同様である。
【００２４】
また、前記鏡筒３の平面部３ｃは、前記第一のフレキシブルプリント基板２の立上面２ｂと平行になるよう前記第一のフレキシブルプリント基板２の折り曲げ部２ａの位置から連続して形成されているので、前記第一のフレキシブルプリント基板２を、前記折り曲げ部２ａの位置から接着固定することができるので、安定した配置が可能となる。
【００２５】
各フレキシブルプリント基板同士の接続方法は様々であるが、半田接合による場合は、高温の熱源を各フレキシブルプリント基板の接続部に加えることになる。接続の際はフレキシブルプリント基板同士を鏡筒３に押し当てながら密着させるため、鏡筒３側に半田接続等の高温が加わり、光学部材６の配置状態に悪影響を与える可能性があるが、前記平面部３ｃ部に厚みをもたせるようにして前記平面部３ｃを形成しておけば、鏡筒３の光学部材支持部３ｂの外周形状を変形させてしまうようなことはなく、光学部材６の配置状態に悪影響を与えることはない。
【００２６】
前記鏡筒３の外周面部に設けられる平面部３ｃは、前記鏡筒３と一体形成したもの、又は別体として構成したもののいずれであっても良い。
【００２７】
前記第二のフレキシブルプリント基板４は、例えば液晶レンズ５から導出された配線基板として説明したが、他部品としては、例えば、メカシャッター、オートフォーカス用のアクチュエータ等から導出される配線基板である場合もある。
【図面の簡単な説明】
【００２８】
【図１】本発明のカメラモジュールの斜視図。
【図２】本発明のカメラモジュールの分解斜視図。
【図３】従来のカメラモジュールの斜視図。
【図４】従来のカメラモジュールの分解斜視図。
【符号の説明】
【００２９】
１      光電変換素子  
２      第一のフレキシブルプリント基板
２ａ    折り曲げ部
２ｂ    立上面
２ｃ    接続パターン
３      鏡筒
３ａ    脚部
３ｂ    光学部材支持部
３ｃ    平面部
４      第二のフレキシブルプリント基板
４ａ    接続パターン
５      液晶レンズ
６      光学部材
６ａ    液晶レンズ搭載ベース
６ｂ    レンズ枠
【図１】
2008089937.tif 000003
【図２】
2008089937.tif 000004
【図３】
2008089937.tif 000005
【図４】
2008089937.tif 000006